(57)【特許請求の範囲】
【請求項１】
電界通信用の通信電極と、
前記通信電極に対向して配置されたグランド電極と、
前記通信電極と前記グランド電極との間に配され、前記通信電極よりも導電率と比誘電率との両方、又はいずれか一方が小さい物質で構成された材料と、を有し、
前記通信電極の面積は前記グランド電極の面積よりも大きいことを特徴とする電極構造。
【請求項２】
前記通信電極と前記グランド電極との両方、又はいずれか一方の表面に、絶縁シートが貼付されていることを特徴とする請求項１に記載の電極構造。
【請求項３】
前記通信電極と前記グランド電極との両方、又はいずれか一方の表面に、前記材料と同じ材料が更に配されていることを特徴とする請求項１又は２に記載の電極構造。
【請求項４】
前記通信電極の表面に配された前記材料は、誘導用ブロックであることを特徴とする請求項３に記載の電極構造。
【請求項５】
前記通信電極と前記グランド電極との両方、又はいずれか一方は、メッシュ構造であることを特徴とする請求項１乃至４のいずれか１項に記載の電極構造。
【請求項６】
前記材料の比誘電率は、１以上４以下であることを特徴とする請求項１乃至５のいずれか１項に記載の電極構造。
【請求項７】
前記材料は、天然樹脂，合成樹脂，気体，油，紙のいずれかであることを特徴とする請求項１乃至６のいずれか１項に記載の電極構造。
【請求項８】
前記通信電極と前記グランド電極との両方、又はいずれか一方は、導電性の繊維を有するカーペットであることを特徴とする請求項１乃至７のいずれか１項に記載の電極構造。
【発明の詳細な説明】
【技術分野】
【０００１】
本発明は、通信データに基づいて電界を電界伝達媒体に誘起して通信を行う電界通信装置の電極構造に関する。
【背景技術】
【０００２】
従来、電界を伝達する電界伝達媒体に対して送信すべきデータに基づく電界を誘起させ、また電界伝達媒体に誘起された電界を検出してデータ通信を行う電界通信装置が提案されている（特許文献１参照）。
【０００３】
また、このような電界通信装置を適用して、例えば、グランド電極を通信電極から極力離して電界を効率的に電界伝達媒体に誘起し、不要な電界を大地グランドに逃がすことで、通信品質の向上を図る技術が開示されている（特許文献２参照）。
【特許文献１】特開２００３−３２４３９５公報
【特許文献２】特開２００４−１２８６０６公報
【発明の開示】
【発明が解決しようとする課題】
【０００４】
しかしながら、通信電極とグランド電極とを別々に配置する必要があるため、利用者に手間を与えるという問題がある。
【０００５】
また、利用形態によっては、通信電極とグランド電極とを別々に配置することができない状況も存在し、それら電極を重ねた状態で一体化した構造とする場合、通信電極から外部に誘起される一部の電界がグランド電極に混入し、電界通信装置自身におけるループ電界が発生するため、通信品質が低下するという問題がある。
【０００６】
本発明は、上記に鑑みてなされたものであり、その課題とするところは、通信電極から誘起される電界がグランド電極に混入することを防止し、電界通信時における通信品質を向上する電極構造を提供することにある。
【課題を解決するための手段】
【０００７】
請求項１に記載の電極構造は、電界通信用の通信電極と、前記通信電極に対向して配置されたグランド電極と、前記通信電極と前記グランド電極との間に配され、前記通信電極よりも導電率と比誘電率との両方、又はいずれか一方が小さい物質で構成された材料と、を有し、前記通信電極の面積は前記グランド電極の面積よりも大きいことを要旨とする。
【０００８】
本発明にあっては、電界通信用の通信電極と、通信電極に対向して配置されたグランド電極とを有し、更に、通信電極とグランド電極との間に配され、通信電極よりも導電率及び／又は比誘電率が小さい物質で構成された材料を有し、通信電極の面積はグランド電極の面積よりも大きいため、通信電極から誘起される電界がグランド電極に混入することを防止し、電界通信時における通信品質を向上することができる。
【０００９】
請求項２に記載の電極構造は、前記通信電極と前記グランド電極との両方、又はいずれか一方の表面に、絶縁シートが貼付されていることを要旨とする。
【００１０】
請求項３に記載の電極構造は、前記通信電極と前記グランド電極との両方、又はいずれか一方の表面に、前記材料と同じ材料が更に配されていることを要旨とする。
【００１１】
請求項４に記載の電極構造は、前記通信電極の表面に配された前記材料が、誘導用ブロックであることを要旨とする。
【００１２】
請求項５に記載の電極構造は、前記通信電極と前記グランド電極との両方、又はいずれか一方が、メッシュ構造であることを要旨とする。
【００１３】
本発明にあっては、通信電極及び／又はグランド電極が、メッシュ構造であるため、通信電極とグランド電極との間に形成される静電容量を削減し、通信電極からグランド電極への電界を抑制することができる。
【００１６】
請求項６に記載の電極構造は、前記材料の比誘電率が、１以上４以下であることを要旨とする。
【００１７】
請求項７に記載の電極構造は、前記材料が、天然樹脂，合成樹脂，気体，油，紙のいずれかであることを要旨とする。
【００１８】
請求項８に記載の電極構造は、前記通信電極と前記グランド電極との両方、又はいずれか一方が、導電性の繊維を有するカーペットであることを要旨とする。
【発明の効果】
【００１９】
本発明によれば、通信電極から誘起される電界がグランド電極に混入することを防止し、電界通信時における通信品質を向上することができる。
【発明を実施するための最良の形態】
【００２０】
以下、本発明の実施の形態について図面を用いて説明する。
【００２１】
〔第１の実施の形態〕
図１は、第１の実施の形態に係る電極構造の断面を示す断面図である。本実施の形態における電極構造は、建物床１の上に配置されるものであって、電界通信用の通信電極２と、通信電極２に対向して配置されたグランド電極３と、通信電極２の一面とグランド電極３の対向面との間に配置されたゴム４と、グランド電極３と建物床１との間に配置されたゴム５と、通信電極２の他の一面に配置されたカーペット６とを備えた構成である。
【００２２】
通信電極２及び／又はグランド電極３は、例えば、厚さ０．１ｍｍ程度の薄い銅板等で構成されている。また、ある比率で隙間を開けたメッシュ構造とすることも可能である。メッシュ構造にすることで、通信電極２とグランド電極３との間に形成される静電容量が削減されるので、通信電極２からグランド電極３へ誘起される電界を抑制することができる。更に、通信電極２及び／又はグランド電極３として、絨毯や敷物などのカーペットと通信電極２とを一体化、又は、そのカーペットとグランド電極３とを一体化させた導電性繊維入りカーペットを用いることも可能である。
【００２３】
更に、通信電極２とグランド電極３との大きさを異にすることも可能である。例えば、通信電極２がグランド電極３よりも大きい場合には、通信電極２からグランド電極３へ誘起される電界を抑制することができる。一方、通信電極２がグランド電極３よりも小さい場合には、図２（ａ）に示すように、グランド電極３により、グランド電極３の下方からのノイズを除去することができる。また、図２（ｂ）に示すように、通信電極２を囲む状態でグランド電極３を配置した場合には、グランド電極３の周辺からのノイズを除去することができる。
【００２４】
ゴム４，ゴム５，及び，カーペット６は、筐体構造を構成する材料としての一例であって、具体的には、通信電極２又はグランド電極３よりも導電率及び／又は比誘電率が小さい物質で構成された材料であればよい。具体的には、小さい導電率及び／又は１以上４以下の比誘電率を有する材料であって、例えば、比誘電率が１近傍の空気や、２近傍の紙，木材，テフロン（登録商標），パラフィン，ポリスチレンなどである。また、天然樹脂（樹皮より分泌される不揮発性の固体または半固形体の物質）、合成樹脂（有機化学の発達により合成されるようになった、天然樹脂と良く似た性質を持つ物質）、その他の気体、絶縁性の油、紙などを用いることも可能である。なお、合成樹脂の一例としては、ＡＢＳ樹脂、上述したポリスチレン、泡スチロール（発泡材）、テフロン（登録商標）などが挙げられる。また、誘電率と比誘電率とが異なる半導体を用いてよい。
【００２５】
特に、カーペット６については、電界通信装置を利用する利用者が直接接触する部分であり、電界通信が利用可能である旨を明確に区別させる必要があるので、例えば、図３に示すように、カーペット６に代えて、誘導用ブロック７などを用いることも可能である。これにより、電極構造の強度についても向上することができる。
【００２６】
次に、通信電極２の作用について説明する。図４は、通信電極２を用いて電界通信を行う電界通信装置の回路構成の一例を示すブロック図である。図４に示すように、情報端末１５と通信電極２との間を接続する通信回路２０は、インタフェース回路２１を介して情報端末１５に接続される。通信回路２０は、この情報端末１５からインタフェース回路２１を介して他の情報端末１５に送信するための送信データを受け取ると、レベル調整回路２２で送信データの信号振幅を調整してから、送信回路２３を介して送信電極２ａに供給するようになっている。
【００２７】
送信電極２ａは、送信回路２３から送信データが供給されると、この送信データに対応する電界を電界伝達媒体３０に誘起する。この誘起された電界は、電界伝達媒体３０を伝達して、他の情報端末１５における電界通信装置の受信電極２ｂで受信される。
【００２８】
電界検出光学部２４は、受信電極２ｂで受信した電界が供給され、電界光学手法を利用した電界検出光学部２４内で別途発生するレーザ光を偏光変化させた後、電気信号に変換する。この電気信号は、信号処理回路２５での帯域制限により不要な雑音が除去され、更に波形整形回路２６で波形が整形されてから、インタフェース回路２１を介して情報端末１５に供給されるようになっている。
【００２９】
なお、送信電極２ａと受信電極２ｂは、一体化して１つの通信電極２で各電極を構成してもよいものであるが、送信または受信どちらか一方の構成のみを有するものとしてもよい。
【００３０】
ここで、図１に示すグランド電極３は、図４を用いて説明した電界検出光学部２４に設けられている。図５は、図４に示す通信回路２０に使用されている電界検出光学部２４の構成を示すブロック図である。
【００３１】
図５に示す電界検出光学部２４は、レーザ光と電気光学結晶を用いた電気光学的手法により電界を検出するものであり、レーザ光源を構成するレーザダイオード１０１および電気光学結晶からなる電気光学素子１０２を有する。なお、電気光学素子１０２は、レーザダイオード１０１からのレーザ光の進行方向に対して直角方向に結合される電界に感度を有し、この電気強度によって光学特性、すなわち複屈折率が変化し、この複屈折率の変化によりレーザ光の偏光が変化するようになっている。
【００３２】
電気光学素子１０２の図上で上下方向に対向する両側面には第１電極１０３及び第２電極１０４が設けられている。なお、この第１電極１０３及び第２電極１０４は、レーザダイオード１０１からのレーザ光の電気光学素子１０２内における進行方向を両側から挟み、レーザ光に対して電界を直角に結合させるようになっている。
【００３３】
図５に示す電界検出光学部２４は、図４に示したのと同じ通信電極２を有し、この通信電極２は第１電極１０３に接続されている。また、第１電極１０３に対向する第２電極１０４は、図１に示したのと同じグランド電極３に接続され、第１電極１０３に対してグランド電極として機能するように構成されている。通信電極２は、電界伝達媒体に誘起されて伝達されてくる電界を検出すると、この電界を第１電極１０３に伝達し、第１電極１０３を介して電気光学素子１０２に結合するようになっている。
【００３４】
レーザダイオード１０１から出力されるレーザ光は、コリメートレンズ１０５を介して平行光にされ、平行光となったレーザ光は第１波長板１０６で偏光状態を調整されて電気光学素子１０２に入射する。電気光学素子１０２に入射したレーザ光は、電気光学素子１０２内で第１電極１０３と第２電極１０４との間を伝播するが、このレーザ光の伝播中において上述したように通信電極２が電界伝達媒体に誘起されて伝達されてくる電界を受け、この電界が第１電極１０３を介して電気光学素子１０２に結合すると、この電界は第１電極１０３からグランド電極３に接続されている第２電極１０４に向かって形成されて、レーザダイオード１０１から電気光学素子１０２に入射したレーザ光の進行方向に直角であるため、電気光学素子１０２の光学特性である複屈折率が変化し、これによりレーザ光の偏光が変化する。
【００３５】
このように電気光学素子１０２において第１電極１０３からの電界によって偏光が変化したレーザ光は、第２波長板１０７で偏光状態を調整されて偏光ビームスプリッタ１０９に入射する。偏光ビームスプリッタ１０９は、第２波長板１０７から入射されたレーザ光をＰ波およびＳ波に分離して、光の強度変化に変換する。この偏光ビームスプリッタ１０９でＰ波成分およびＳ波成分に分離されたレーザ光は、それぞれ第１集光レンズ１１０ａ及び第２集光レンズ１１０ｂで集光されてから、第１フォトダイオード１１１ａ及び第２フォトダイオード１１１ｂに供給され、第１フォトダイオード１１１ａ及び第２フォトダイオード１１１ｂにおいてＰ波光信号とＳ波光信号をそれぞれの電気信号に変換して出力するようになっている。
【００３６】
上述したように第１フォトダイオード１１１ａ及び第２フォトダイオード１１１ｂから出力される電気信号は、図４に示す信号処理回路２５で増幅、雑音除去などの信号処理を施されてから、波形整形回路２６で波形整形され、インタフェース回路２１を介して情報端末１５に供給されることになる。
【００３７】
図６は、通信電極２を用いて電界通信を行う電界通信装置の回路構成の他の一例を示すブロック図である。図６に示すブロック図には、情報端末１５が接続された通信回路２０と、通信を媒介する電界伝達媒体３０と、通信回路２０’と、この通信回路２０’に接続された情報端末１５’とが示されている。通信回路２０と通信回路２０’との間で通信を行い、通信回路２０からデータを送信して通信回路２０’で受信する場合を例にするものである。
【００３８】
通信回路２０と通信回路２０’とは同じ構成を有している。両者に構成上の相違点はないものの、説明するための便宜上、同一の構成部には同一の番号を付し、通信回路２０’の備える構成部については「’」を付して識別している。
【００３９】
なお、情報端末１５は、通信回路２０に対して送信データと送受信切替信号を送る。送信データとは、通信相手の情報端末１５’へ伝達される任意のデータである。送受信切替信号とは、通信回路２０に対して送信と受信との動作の切替を指示するための信号である。
【００４０】
また、通信回路２０からは情報端末１５に対して受信データを送る。この受信データは、通信相手の情報端末１５’が情報端末１５に対し、通信回路２０’と通信回路２０とを介して送信したデータを受信して得た受信データである。なお、情報端末１５’と通信回路２０’との間においても、情報端末１５と通信回路２０との間と同じく送信データや送受信切替信号、受信データのやり取りが行われている。
【００４１】
また、通信回路２０には、データを送信するための送信部と、データを受信する受信部とを備えている。送信部には、送信データを発振器４１から出力される搬送波で変調するための変調回路４０と、搬送波を出力するための発振器４１とを備えている。更に、受信部には、復調信号のＨレベルとＬレベルの反転が起きていないかを判定して補正するための補正回路４２と、搬送波再生回路４４で再生された搬送波と受信した信号をもとにデータを再生する復調回路４３と、受信した信号から搬送波を抽出する搬送波再生回路４４とを備えている。
【００４２】
なお、通信電極２は、図４を用いて説明した場合と同様に、通信回路２０から伝達されたデータを通信回路２０’に送信する機能と、通信回路２０’から送信されたデータを受信する機能とを有している。図６で示す通信回路２０を有する電界通信装置の場合であっても、送信電極２ａと受信電極２ｂは、一体化して１つの通信電極２で各電極を構成してもよいし、送信または受信どちらか一方の構成のみを有するものとしてもよい。
【００４３】
また、図７には、図６で示した補正回路４２，補正回路４２’の構成を説明するための構成図が示されている。図６で示す通信回路２０と通信回路２０’においては、受信部の出力でのＨレベルとＬレベルの反転を防ぐことを目的として、この受信部に補正回路４２，補正回路４２’が備えられている。なお、通信回路２０の補正回路４２と通信回路２０’の補正回路４２’とは同様のものであるので、ここでは通信回路２０’が備える補正回路４２’の説明のみを行う。
【００４４】
補正回路４２’は、復調信号のＨレベルとＬレベルの反転が起きていた場合に信号を反転させるための反転・非反転切替回路６１と、復調信号のＨレベルとＬレベルの反転が起きていないかを判定して切替信号を出力するためのサンプリング回路６２と、再生搬送波を検出しサンプリング信号を生成するための検波器６３と、復調信号のＨレベルとＬレベルの判定が十分区別できるまでサンプリング信号を遅らせるための遅延器６４とを備えている。
【００４５】
ここで、図１に示すグランド電極３は、図６を用いて説明した変調回路４０及び復調回路４３に接続されている。図８は、変調回路４０及び復調回路４３とグランド電極３との接続構成を示す構成図である。変調回路４０には送信電極２ａが接続され、復調回路４３には受信電極２ｂが接続されると共に、図５を用いて説明した機能を有するグランド電極３が接続されている。データの送信時には、変調回路４０に接続されたグランド電極３が機能し、データの受信時には、復調回路４３に接続されたグランド電極３が機能する。１つのグランド電極３が変調回路４０と復調回路４３とに接続される構成でもよく、各回路に異なるグランド電極３を接続してもよい。
【００４６】
通信電極２とグランド電極３とが近接している場合、通信電極２から外部に誘起される一部の電界がグランド電極３に混入し、電界通信装置自身におけるループ電界が発生し、結果的には通信品質の低下に繋がるが、本実施の形態では、通信電極２とグランド電極３との間に、通信電極２よりも導電率及び／又は比誘電率が小さい物質で構成されたゴム４が配されるので、通信電極２から誘起される電界がグランド電極３に混入することを防止することができる。これにより、通信電極２において、必要な電界を効率よく電界伝達媒体３０に誘起でき、通信回路２０を介して送信されたデータ通信を的確に行うことができ、通信品質の低減を防止することができる。
【００４７】
また、図４又は図６で説明したグランド電極３を、建物床１に対して通信電極２よりも近い位置に配置することで、通信回路２０で発生する不要な電磁波や逆位相の電界などを建物床に逃がし、このような不要な電磁波や逆位相の電界が通信電極２に混入することを低減することができる。これにより、通信電極２において、カーペット６に接触した電界伝達媒体３０としての人や物などに対して必要な電界を効率よく誘起でき、通信品質の低減を防止することができる。
【００４８】
なお、本実施の形態では、建物床１の上に配置される電極構造として説明したが、他の床や階段等であっても良い。
【００４９】
本実施の形態によれば、電界通信用の通信電極２と、通信電極２に対向して配置されたグランド電極３とを有し、更に、通信電極２とグランド電極３との間に配され、通信電極２よりも導電率及び／又は比誘電率が小さい物質で構成されたゴム４を有するので、通信電極２から誘起される電界がグランド電極３に混入することを防止し、電界通信時における通信品質を向上することができる。
【００５０】
本実施の形態によれば、通信電極２及び／又はグランド電極３が、メッシュ構造であるため、通信電極２とグランド電極３との間に形成される静電容量を削減するので、通信電極２からグランド電極３への電界を抑制することができる。
【００５１】
本実施の形態によれば、通信電極２とグランド電極３の大きさが異なるので、通信電極２がグランド電極３よりも大きい場合には、通信電極２からグランド電極３への電界を抑制することができ、通信電極２がグランド電極３よりも小さい場合には、グランド電極３により、グランド電極３の下方や周辺からのノイズを除去することができる。
【００５２】
〔第２の実施の形態〕
図９は、第２の実施の形態に係る電極構造の断面を示す断面図である。本実施の形態における電極構造は、電界通信用の通信電極２と、通信電極２に対向して配置されたグランド電極３と、通信電極２の一面とグランド電極３の対向面との間に配置された床板８と、通信電極２の他の一面に配置されたカーペット６とを備えた構成である。また、本実施の形態に係る通信電極２及びグランド電極３の両表面には、絶縁シート９が貼付されている。
【００５３】
なお、通信電極２及びグランド電極３の構造及び作用、第１の実施の形態と同様なので、ここで重複説明を省略する。また、床板８及びカーペット６については、電極構造を構成する一例であって、第１の実施の形態で説明したように、通信電極２又はグランド電極３よりも導電率及び／又は比誘電率が小さい物質で構成された材料であればよい。
【００５４】
本実施の形態に係る電極構造は、オフィスフロア等に組み込まれている二重床の上に配置されている。この二重床とは、図９に示すように、コンクリート１０などの躯体上に複数の支持脚１１を並べ、その支持脚１１の上に床板８を配置し、コンクリート１０と床板８との間に、電力や通信用の配線１２や防音材１３などを配備可能とする床である。
【００５５】
本実施の形態によれば、電界通信用の通信電極２と、通信電極２に対向して配置されたグランド電極３とを有し、更に、通信電極２とグランド電極３との間に配され、通信電極２よりも導電率及び／又は比誘電率が小さい物質で構成された床板８を有するので、通信電極２から誘起される電界がグランド電極３に混入することを防止し、電界通信時における通信品質を向上することができる。
【００５６】
〔第３の実施の形態〕
図１０は、第３の実施の形態に係る電極構造の断面を示す断面図である。本実施の形態における電極構造は、建物床１の上に配置されるものであって、電界通信用の通信電極２と、通信電極２に対向して配置されたグランド電極３と、通信電極２の一方の側面とグランド電極３の対向側面との間に配置されたゴム４と、通信電極２及びグランド電極３と建物床１との間に配置されたゴム５と、通信電極２及びグランド電極３の上面に配置されたカーペット６とを備えた構成である。
【００５７】
なお、通信電極２及びグランド電極３の構造及び作用、第１の実施の形態と同様なので、ここで重複説明を省略する。また、ゴム４，ゴム５，及び，カーペット６については、電極構造を構成する一例であって、第１の実施の形態で説明したように、通信電極２又はグランド電極３よりも導電率及び／又は比誘電率が小さい物質で構成された材料であればよい。
【００５８】
本実施の形態によれば、電界通信用の通信電極２と、通信電極２に対向して配置されたグランド電極３とを有し、更に、通信電極２の一方の側面とグランド電極３の対向側面との間に配され、通信電極２よりも導電率及び／又は比誘電率が小さい物質で構成されたゴム４を有するので、通信電極２から誘起される電界がグランド電極３に混入することを防止し、電界通信時における通信品質を向上することができる。
【図面の簡単な説明】
【００５９】
【図１】第１の実施の形態に係る電極構造の断面を示す断面図である。
【図２】異なる大きさの通信電極とグランド電極とを用いた場合の効果を示す模式図である。
【図３】第１の実施の形態に係る電極構造の他の実施例を示す断面図である。
【図４】通信電極を用いて電界通信を行う電界通信装置の回路構成の一例を示すブロック図である。
【図５】図４に示す通信回路に使用されている電界検出光学部の構成を示すブロック図である。
【図６】通信電極を用いて電界通信を行う電界通信装置の回路構成の他の一例を示すブロック図である。
【図７】図６で示した補正回路の構成を説明するための構成図である。
【図８】図６で示した変調回路及び復調回路とグランド電極との接続構成を示す構成図である。
【図９】第２の実施の形態に係る電極構造の断面を示す断面図である。
【図１０】第３の実施の形態に係る電極構造の断面を示す断面図である。
【符号の説明】
【００６０】
１…建物床
２，２’…通信電極
２ａ，２ａ’…送信電極
２ｂ，２ｂ’…受信電極
３…グランド電極
４，５…ゴム
６…カーペット
７…誘導用ブロック
８…床板
９…絶縁シート
１０…コンクリート
１１…支持脚
１２…配線
１３…防音材
１５，１５’…情報端末
２０，２０’…通信回路
２１…インタフェース回路
２２…レベル調整回路
２３…送信回路
２４…電界検出光学部
２５…信号処理回路
２６…波形整形回路
３０…電界伝達媒体
４０，４０’…変調回路
４１，４１’…発振器
４２，４２’…補正回路
４３，４３’…復調回路
４４，４４’…搬送波再生回路
６１…反転・非反転切替回路
６２…サンプリング回路
６３…検波器
６４…遅延器
１０１…レーザダイオード
１０２…電気光学素子
１０３…第１電極
１０４…第２電極
１０５…コリメートレンズ
１０６…第１波長板
１０７…第２波長板
１０９…偏光ビームスプリッタ
１１０ａ…第１集光レンズ
１１０ｂ…第２集光レンズ
１１１ａ…第１フォトダイオード
１１１ｂ…第２フォトダイオード
【図１】
0004478178.tif 000002
【図２】
0004478178.tif 000003
【図３】
0004478178.tif 000004
【図４】
0004478178.tif 000005
【図５】
0004478178.tif 000006
【図６】
0004478178.tif 000007
【図７】
0004478178.tif 000008
【図８】
0004478178.tif 000009
【図９】
0004478178.tif 000010
【図１０】
0004478178.tif 000011